(57)【特許請求の範囲】
【請求項１】
パケット入力するデジタル映像信号を記録媒体に記録するデジタル映像録画装置であって、
前記デジタル映像信号を構成するパケットに付される識別子（ＰＩＤ）を、変換するための情報が登録されるＰＩＤ変換テーブルと、
録画開始の指示又は入力する前記デジタル映像信号中のサービスの切り替わりに応じて、前記ＰＩＤ変換テーブルを初期化するテーブル初期化部と、
前記デジタル映像信号のパケットが入力される毎にパケットのＰＩＤを検出し、制御データ又は映像／音声データを含むパケットのＰＩＤに関して、現状の値と異なる値を変換後のＰＩＤとして前記ＰＩＤ変換テーブルに登録するＰＩＤ検出部と、
前記ＰＩＤ変換テーブルの登録内容に従って、入力されたパケットのＰＩＤの値、及び当該パケットに含まれる制御データ又は映像／音声データのＰＩＤを、変換後のＰＩＤに変換するＰＩＤ変換部と、
前記ＰＩＤ変換部によってＰＩＤが変換されたパケットを記録媒体に記録する記録部とを備える、デジタル映像録画装置。
【請求項２】
前記ＰＩＤ検出部によって前記ＰＩＤ変換テーブルに登録されるＰＩＤが、ＰＭＴを含むパケットのＰＩＤ及び映像／音声ＥＳを含むパケットのＰＩＤであることを特徴とする、請求項１に記載のデジタル映像録画装置。
【請求項３】
前記ＰＩＤ検出部によって前記ＰＩＤ変換テーブルに登録されるＰＩＤが、ＰＭＴを含むパケットのＰＩＤであることを特徴とする、請求項１に記載のデジタル映像録画装置。
【請求項４】
前記ＰＩＤ検出部によって前記ＰＩＤ変換テーブルに登録されるＰＩＤが、映像／音声ＥＳを含むパケットのＰＩＤであることを特徴とする、請求項１に記載のデジタル映像録画装置。
【請求項５】
前記ＰＩＤ検出部は、前記ＰＩＤ変換テーブルに登録する変換後のＰＩＤとして、予め定めた任意の値をインクリメントした値を順に使用し、かつ、インクリメントした値を不揮発性メモリに格納することで、装置の電源投入時に不揮発性メモリから読み出して使用することを特徴とする、請求項１に記載のデジタル映像録画装置。
【請求項６】
前記ＰＩＤ検出部は、前記ＰＩＤ変換テーブルに登録する変換後のＰＩＤとして、予め定めた任意の値をインクリメントした値を順に使用し、かつ、インクリメントした値を不揮発性メモリに格納することで、装置の電源投入時に不揮発性メモリから読み出して使用することを特徴とする、請求項２に記載のデジタル映像録画装置。
【請求項７】
前記ＰＩＤ検出部は、前記ＰＩＤ変換テーブルに登録する変換後のＰＩＤとして、予め定めた任意の値をインクリメントした値を順に使用し、かつ、インクリメントした値を不揮発性メモリに格納することで、装置の電源投入時に不揮発性メモリから読み出して使用することを特徴とする、請求項３に記載のデジタル映像録画装置。
【請求項８】
前記ＰＩＤ検出部は、前記ＰＩＤ変換テーブルに登録する変換後のＰＩＤとして、予め定めた任意の値をインクリメントした値を順に使用し、かつ、インクリメントした値を不揮発性メモリに格納することで、装置の電源投入時に不揮発性メモリから読み出して使用することを特徴とする、請求項４に記載のデジタル映像録画装置。
【請求項９】
ファイル形式で記録媒体にパケット記録されたデジタル映像信号を再生するデジタル映像再生装置であって、
前記デジタル映像信号を構成するパケットに付される識別子（ＰＩＤ）を、変換するための情報が登録されるＰＩＤ変換テーブルと、
読み出されるファイル番号の切り替わりに応じて、前記ＰＩＤ変換テーブルを初期化するテーブル初期化部と、
前記デジタル映像信号のパケットが読み出される毎にパケットのＰＩＤを検出し、制御データ又は映像／音声データを含むパケットのＰＩＤに関して、現状の値と異なる値を変換後のＰＩＤとして前記ＰＩＤ変換テーブルに登録するＰＩＤ検出部と、
前記ＰＩＤ変換テーブルの登録内容に従って、読み出されたパケットのＰＩＤの値、及び当該パケットに含まれる制御データ又は映像／音声データのＰＩＤを、変換後のＰＩＤに変換するＰＩＤ変換部と、
前記ＰＩＤ変換部によってＰＩＤを変換されたパケットを再生出力する出力部とを備える、デジタル映像再生装置。
【請求項１０】
記録媒体に記録されたデジタル映像信号を再生するデジタル映像再生装置であって、
記録媒体に記録されている前記デジタル映像信号を読み出すと共に、デジタル映像信号中の無記録部分を検出する無記録部分検出部と、
前記読み出されたデジタル映像信号をデコード部へ送出する出力部と、
前記無記録部分検出部で無記録部分が検出された場合、ストリームの不連続を前記デコード部に通知する通知部とを備える、デジタル映像再生装置。
【請求項１１】
前記通知部は、前記無記録部分検出部で無記録部分が検出された場合、所定の不連続情報を前記読み出されたデジタル映像信号中に挿入又は上書きすることで、前記デコード部にストリームの不連続を通知することを特徴とする、請求項１０に記載のデジタル映像再生装置。
【請求項１２】
前記不連続情報が、ＤＩＴであることを特徴とする、請求項１１に記載のデジタル映像再生装置。
【請求項１３】
前記不連続情報が、ＰＭＴ＿ＰＩＤを記述していないＰＡＴであることを特徴とする、請求項１１に記載のデジタル映像再生装置。
【請求項１４】
パケット入力するデジタル映像信号を記録媒体に記録する方法を、コンピュータ装置に実行させるためのプログラムであって、
録画開始の指示又は入力する前記デジタル映像信号中のサービスの切り替わりを判断するステップと、
前記指示又は切り替わりに応じて、前記デジタル映像信号を構成するパケットに付される識別子（ＰＩＤ）を変換するための情報が登録されるＰＩＤ変換テーブルを初期化するステップと、
前記デジタル映像信号のパケットが入力される毎にパケットのＰＩＤを検出するステップと、
制御データ又は映像／音声データを含むパケットのＰＩＤに関して、現状の値と異なる値を変換後のＰＩＤとして前記ＰＩＤ変換テーブルに登録するステップと、
前記ＰＩＤ変換テーブルの登録内容に従って、入力されたパケットのＰＩＤの値、及び当該パケットに含まれる制御データ又は映像／音声データのＰＩＤを、変換後のＰＩＤに変換するステップと、
前記ＰＩＤが変換されたパケットを記録媒体に記録するステップとを含む、プログラム。
【請求項１５】
前記登録するステップは、前記ＰＩＤ変換テーブルに登録する変換後のＰＩＤとして、予め定めた任意の値をインクリメントした値を順に使用し、かつ、インクリメントした値を不揮発性メモリに格納することで、装置の電源投入時に不揮発性メモリから読み出して使用することを特徴とする、請求項１４に記載のプログラム。
【請求項１６】
ファイル形式で記録媒体にパケット記録されたデジタル映像信号を再生する方法を、コンピュータ装置に実行させるためのプログラムであって、
読み出されるファイル番号の切り替わりを判断するステップと、
前記切り替わりに応じて、前記デジタル映像信号を構成するパケットに付される識別子（ＰＩＤ）を変換するための情報が登録されるＰＩＤ変換テーブルを初期化するステップと、
前記デジタル映像信号のパケットが読み出される毎にパケットのＰＩＤを検出するステップと、
制御データ又は映像／音声データを含むパケットのＰＩＤに関して、現状の値と異なる値を変換後のＰＩＤとして前記ＰＩＤ変換テーブルに登録するステップと、
前記ＰＩＤ変換テーブルの登録内容に従って、読み出されたパケットのＰＩＤの値、及び当該パケットに含まれる制御データ又は映像／音声データのＰＩＤを、変換後のＰＩＤに変換するステップと、
前記ＰＩＤが変換されたパケットを再生出力するステップとを含む、プログラム。
【請求項１７】
記録媒体に記録されたデジタル映像信号を再生する方法を、コンピュータ装置に実行させるためのプログラムであって、
記録媒体に記録されている前記デジタル映像信号を読み出すステップと、
前記デジタル映像信号中の無記録部分を検出するステップと、
前記読み出されたデジタル映像信号をデコード部へ送出するステップと、
無記録部分が検出された場合、ストリームの不連続を前記デコード部に通知するステップとを含む、プログラム。
【請求項１８】
前記通知するステップは、無記録部分が検出された場合、所定の不連続情報を前記読み出されたデジタル映像信号中に挿入又は上書きすることで、前記デコード部にストリームの不連続を通知することを特徴とする、請求項１７に記載のプログラム。
【発明の詳細な説明】
【０００１】
【発明の属する技術分野】
本発明は、デジタル映像録画／再生装置及びそのプログラムに関し、より特定的には、デジタル放送受信機で受信されたデジタル放送番組を記録媒体に録画するデジタル映像録画装置及びその録画処理プログラム、及び記録媒体に録画されたデジタル放送番組を再生するデジタル映像再生装置及びその再生処理プログラムに関する。
【０００２】
【従来の技術】
周知のように、デジタル放送受信機は、複数の番組が多重されたデジタル放送信号を受信し、その中から選択された任意の番組をデコード処理し、モニタやスピーカを介して再生する。また、デジタル放送受信機は、選択された任意の番組を所定の記録媒体（ＤＶＨＳテープのような磁気テープ、ＤＶＤのような光ディスク等）に記録するために、その番組の信号をデジタルインタフェースを介してデジタル映像録画／再生装置に出力する。このデジタル映像録画／再生装置への出力には、パーシャルトランスポートストリーム（以下、パーシャルＴＳと記す）が用いられる。
【０００３】
このパーシャルＴＳは、映像及び音声のエレメンタリーストリーム（Elementary Stream ：以下、ＥＳと記す）のパケット及び所定の情報テーブル（制御データ）のパケットから構成される。
パーシャルＴＳに含まれる情報テーブルの代表的なデータフォーマット例としては、電波産業会（ＡＲＩＢ：Association of Radio Industries and Businesses）のＳＴＤ−Ｂ１０で規格されたプログラムアソシエーションテーブル（Program Association Table ：以下、ＰＡＴと記す）及びプログラムマップテーブル（Program Map Table ：以下、ＰＭＴと記す）、ＳＴＤ−Ｂ２１で規格されたディスコンティニュイティーインフォメーションテーブル（Discontinuity Information Table ：以下、ＤＩＴと記す）及びセレクションインフォメーションテーブル（Selection Information Table ：以下、ＳＩＴと記す）が存在する。
【０００４】
図１２〜図１５に、各情報テーブルのフォーマットを示す。
ＰＡＴには、パーシャルＴＳで伝送されるサービス（以下、対象サービスという）のサービス識別子（ｐｒｏｇｒａｍ＿ｎｕｍｂｅｒ）及びＰＭＴのパケット識別子（ｐｒｏｇｒａｍ＿ｍａｐ＿ＰＩＤ：以下、ＰＭＴ＿ＰＩＤと記す）等が含まれる（図１２）。ＰＭＴには、対象サービスのサービス識別子（ｐｒｏｇｒａｍ＿ｎｕｍｂｅｒ）、番組基準クロック（Program Clock reference ：以下、ＰＣＲと記す）のパケット識別子（ＰＣＲ＿ＰＩＤ）、対象サービスのＥＳ又はペイロードを伝送するＴＳパケットのパケット識別子（ｅｌｅｍｅｎｔａｒｙ＿ＰＩＤ：以下、ＥＳ＿ＰＩＤと記す）等が含まれる（図１３）。ＤＩＴは、パーシャルＴＳが不連続になる場合やパーシャルＴＳに含まれるＥＳの数に増減がある場合に挿入される。このＤＩＴには、トランスポートストリームの変化の種類を示すトランジションフラグ（ｔｒａｎｓｉｔｉｏｎ＿ｆｌａｇ）が含まれる（図１５）。
【０００５】
さて、デジタル放送受信機で受信されたデジタル放送番組を録画する場合、磁気テープを記録媒体とする従来のデジタル映像録画／再生装置では、記録番組の不連続性が分かるように、録画が開始される毎に記録領域の先頭にＤＩＴを記録している。ＤＩＴが記録された記録媒体のイメージを図１６（ａ）に示す。図１６（ａ）には、番組Ａに続けて番組Ｂを録画した例を示している。
【０００６】
このようにして番組が録画された記録媒体を不連続部分を通過して再生する場合、従来のデジタル映像録画／再生装置では、記録されているＤＩＴの検出を行い、ＤＩＴの記録内容から番組が不連続であることを検知する。そして、従来のデジタル映像録画／再生装置は、再生時に必要な映像情報、音声情報、及び映像情報と音声情報とを同期させるＰＣＲの再検出を行い、不連続部分を通過した時も正常に再生処理できるように制御している。
【０００７】
【発明が解決しようとする課題】
上記従来のデジタル映像録画／再生装置では、録画開始時にだけＤＩＴが記録される。従って、記録媒体上を番組が重なることなく録画される場合には、不連続部分を正しく検出することができる。しかし、記録済みの領域に上書きで新たな番組を録画するような場合、例えば図１６（ｂ）に示すように、新たな番組Ｃを番組Ａの途中から後続する番組Ｂの途中まで上書きするような場合には、番組Ｂの先頭位置に記録されていたＤＩＴが消去されてしまう。このため、従来のデジタル映像録画／再生装置では、番組Ｃ及び番組Ｂを続けて再生する場合、番組Ｃから番組Ｂへ切り替わる不連続部分を正しく検出することができず、番組Ｂの残っている録画部分の再生処理を正常に行うことができない、という問題があった。
【０００８】
この問題の対応策として、録画終了時にもＤＩＴを記録する方法が考えられる。しかしながら、このような方法では、記録媒体の記録領域を無駄に消費することになる。また、ユーザからの録画停止指示に対して、ＤＩＴを記録してから録画動作が停止されることになるので、ユーザへの応答性の観点で問題が残る。
【０００９】
それ故に、本発明の目的は、番組が上書きで録画された場合であっても、録画終了時にＤＩＴを記録する手法を用いず、再生時にストリームの不連続部分を検出してノイズを発生させることなく正確に再生処理を行えるデジタル映像録画／再生装置及びそのプログラムを提供することである。
【００１０】
【課題を解決するための手段及び発明の効果】
第１の発明は、パケット入力するデジタル映像信号を記録媒体に記録するデジタル映像録画装置であって、
デジタル映像信号を構成するパケットに付される識別子（ＰＩＤ）を、変換するための情報が登録されるＰＩＤ変換テーブルと、録画開始の指示又は入力するデジタル映像信号中のサービスの切り替わりに応じて、ＰＩＤ変換テーブルを初期化するテーブル初期化部と、デジタル映像信号のパケットが入力される毎にパケットのＰＩＤを検出し、制御データ又は映像／音声データを含むパケットのＰＩＤに関して、現状の値と異なる値を変換後のＰＩＤとしてＰＩＤ変換テーブルに登録するＰＩＤ検出部と、ＰＩＤ変換テーブルの登録内容に従って、入力されたパケットのＰＩＤの値、及びパケットに含まれる制御データ又は映像／音声データのＰＩＤを、変換後のＰＩＤに変換するＰＩＤ変換部と、ＰＩＤ変換部によってＰＩＤが変換されたパケットを記録媒体に記録する記録部とを備える。
【００１１】
上記のように、第１の発明によれば、デジタル映像信号（パーシャルＴＳ）の各パケットに含まれる制御データ又は映像／音声データのＰＩＤ（ＰＭＴ＿ＰＩＤやＥＳ＿ＰＩＤ）を、ストリームの不連続性が生じる毎に異なる値になるようにして記録媒体に記録する。従って、このように記録された記録媒体を再生処理する場合、特に記録済みの媒体に上書きしたデータを再生する場合に、ストリームの不連続箇所（上書き終了直後の記録部分）を容易に判断できるので、ノイズを発生させることなく正確な再生処理を行うことができる。
【００１２】
第２の発明は、第１の発明に従属するデジタル映像録画装置であって、ＰＩＤ検出部によってＰＩＤ変換テーブルに登録されるＰＩＤが、ＰＭＴを含むパケットのＰＩＤ及び映像／音声ＥＳを含むパケットのＰＩＤであることを特徴とする。
第３の発明は、第１の発明に従属するデジタル映像録画装置であって、ＰＩＤ検出部によってＰＩＤ変換テーブルに登録されるＰＩＤが、ＰＭＴを含むパケットのＰＩＤであることを特徴とする。
第４の発明は、第１の発明に従属するデジタル映像録画装置であって、ＰＩＤ検出部によってＰＩＤ変換テーブルに登録されるＰＩＤが、映像／音声ＥＳを含むパケットのＰＩＤであることを特徴とする。
【００１３】
第５〜第８の発明は、それぞれ第１〜第４の発明に従属するデジタル映像録画装置であって、ＰＩＤ検出部は、ＰＩＤ変換テーブルに登録する変換後のＰＩＤとして、予め定めた任意の値をインクリメントした値を順に使用し、かつ、インクリメントした値を不揮発性メモリに格納することで、装置の電源投入時に不揮発性メモリから読み出して使用することを特徴とする。
この第５〜第８の発明のように変換後のＰＩＤを使用すれば、ＰＩＤの重複使用を回避できる。
【００１４】
第９の発明は、ファイル形式で記録媒体にパケット記録されたデジタル映像信号を再生するデジタル映像再生装置であって、
デジタル映像信号を構成するパケットに付される識別子（ＰＩＤ）を、変換するための情報が登録されるＰＩＤ変換テーブルと、読み出されるファイル番号の切り替わりに応じて、ＰＩＤ変換テーブルを初期化するテーブル初期化部と、デジタル映像信号のパケットが読み出される毎にパケットのＰＩＤを検出し、制御データ又は映像／音声データを含むパケットのＰＩＤに関して、現状の値と異なる値を変換後のＰＩＤとしてＰＩＤ変換テーブルに登録するＰＩＤ検出部と、ＰＩＤ変換テーブルの登録内容に従って、読み出されたパケットのＰＩＤの値、及びパケットに含まれる制御データ又は映像／音声データのＰＩＤを、変換後のＰＩＤに変換するＰＩＤ変換部と、ＰＩＤ変換部によってＰＩＤを変換されたパケットを再生出力する出力部とを備える。
【００１５】
上記のように、第９の発明によれば、デジタル映像信号（パーシャルＴＳ）の各パケットに含まれる制御データ又は映像／音声データのＰＩＤ（ＰＭＴ＿ＰＩＤやＥＳ＿ＰＩＤ）を、ストリームの不連続性が生じる毎に異なる値になるようにして記録媒体から再生する。従って、このように記録された記録媒体を再生処理する場合、特に記録済みの媒体に上書きしたデータを再生する場合に、ストリームの不連続箇所（上書き終了直後の記録部分）を容易に判断できるので、ノイズを発生させることなく正確な再生処理を行うことができる。特に、ファイル形式で記録可能なコンテンツを扱うＨＤＤやＤＶＤ等の記録媒体に有用である。
【００１６】
第１０の発明は、記録媒体に記録されたデジタル映像信号を再生するデジタル映像再生装置であって、
記録媒体に記録されているデジタル映像信号を読み出すと共に、デジタル映像信号中の無記録部分を検出する無記録部分検出部と、読み出されたデジタル映像信号をデコード部へ送出する出力部と、無記録部分検出部で無記録部分が検出された場合、ストリームの不連続をデコード部に通知する通知部とを備える。
【００１７】
第１１の発明は、第１０の発明に従属するデジタル映像再生装置であって、通知部は、無記録部分検出部で無記録部分が検出された場合、所定の不連続情報を読み出されたデジタル映像信号中に挿入又は上書きすることで、デコード部にストリームの不連続を通知することを特徴とする。
【００１８】
上記のように、第１０及び第１１の発明によれば、従来から記録媒体上に存在する無記録部分を検出して、ストリームの不連続性が生じる毎にデジタル映像信号（パーシャルＴＳ）中に不連続情報を挿入又は上書きする。従って、従来の記録媒体を再生処理する場合、特に記録済みの媒体に上書きしたデータを再生する場合に、ストリームの不連続箇所（上書き終了直後の記録部分）を容易に判断できるので、ノイズを発生させることなく正確な再生処理を行うことができる。
【００１９】
第１２の発明は、第１１の発明に従属するデジタル映像再生装置であって、不連続情報が、ＤＩＴであることを特徴とする。
第１３の発明は、第１１の発明に従属するデジタル映像再生装置であって、不連続情報が、ＰＭＴ＿ＰＩＤを記述していないＰＡＴであることを特徴とする。
【００２０】
第１４の発明は、パケット入力するデジタル映像信号を記録媒体に記録する方法を、コンピュータ装置に実行させるためのプログラムであって、
録画開始の指示又は入力するデジタル映像信号中のサービスの切り替わりを判断するステップと、指示又は切り替わりに応じて、デジタル映像信号を構成するパケットに付される識別子（ＰＩＤ）を変換するための情報が登録されるＰＩＤ変換テーブルを初期化するステップと、デジタル映像信号のパケットが入力される毎にパケットのＰＩＤを検出するステップと、制御データ又は映像／音声データを含むパケットのＰＩＤに関して、現状の値と異なる値を変換後のＰＩＤとしてＰＩＤ変換テーブルに登録するステップと、ＰＩＤ変換テーブルの登録内容に従って、入力されたパケットのＰＩＤの値、及びパケットに含まれる制御データ又は映像／音声データのＰＩＤを、変換後のＰＩＤに変換するステップと、ＰＩＤが変換されたパケットを記録媒体に記録するステップとを含む。
【００２１】
第１５の発明は、第１４の発明に従属するプログラムであって、登録するステップは、ＰＩＤ変換テーブルに登録する変換後のＰＩＤとして、予め定めた任意の値をインクリメントした値を順に使用し、かつ、インクリメントした値を不揮発性メモリに格納することで、装置の電源投入時に不揮発性メモリから読み出して使用することを特徴とする。
【００２２】
第１６の発明は、ファイル形式で記録媒体にパケット記録されたデジタル映像信号を再生する方法を、コンピュータ装置に実行させるためのプログラムであって、
読み出されるファイル番号の切り替わりを判断するステップと、切り替わりに応じて、デジタル映像信号を構成するパケットに付される識別子（ＰＩＤ）を変換するための情報が登録されるＰＩＤ変換テーブルを初期化するステップと、デジタル映像信号のパケットが読み出される毎にパケットのＰＩＤを検出するステップと、制御データ又は映像／音声データを含むパケットのＰＩＤに関して、現状の値と異なる値を変換後のＰＩＤとしてＰＩＤ変換テーブルに登録するステップと、ＰＩＤ変換テーブルの登録内容に従って、読み出されたパケットのＰＩＤの値、及びパケットに含まれる制御データ又は映像／音声データのＰＩＤを、変換後のＰＩＤに変換するステップと、ＰＩＤが変換されたパケットを再生出力するステップとを含む。
【００２３】
第１７の発明は、記録媒体に記録されたデジタル映像信号を再生する方法を、コンピュータ装置に実行させるためのプログラムであって、
記録媒体に記録されているデジタル映像信号を読み出すステップと、デジタル映像信号中の無記録部分を検出するステップと、読み出されたデジタル映像信号をデコード部へ送出するステップと、無記録部分が検出された場合、ストリームの不連続をデコード部に通知するステップとを含む。
【００２４】
第１８の発明は、第１７の発明に従属するプログラムであって、通知するステップは、無記録部分が検出された場合、所定の不連続情報を読み出されたデジタル映像信号中に挿入又は上書きすることで、デコード部にストリームの不連続を通知することを特徴とする。
【００２５】
【発明の実施の形態】
以下、本発明の実施の形態について図面を参照して説明する。
（第１の実施形態）
図１は、本発明の第１の実施形態に係るデジタル映像録画／再生装置の構成を示すブロック図である。図１には、デジタル映像録画／再生装置２００へ供給されるパーシャルＴＳを出力するデジタル放送受信機１００も表している。
【００２６】
（１）デジタル放送受信機１００の概要説明
デジタル放送受信機１００は、アンテナ１２０と、チューナ１０５と、復調部１０６と、ＴＳ分離部１０７と、ＡＶデコーダ１０８と、デジタルインタフェース（デジタルＩ／Ｆ）１０９と、ＣＰＵ１０１と、ＲＯＭ１０２と、ＲＡＭ１０３とで構成される。
デジタル放送受信機１００は、放送局（図示せず）から送られてくる様々な番組の情報を含む映像信号を受信し、その中から任意の番組を選択視聴すると共に、デジタル映像録画／再生装置２００で記録するパーシャルＴＳを生成する。なお、この番組には、番組を実際に構成する映像や音声だけでなく、電子番組情報（ＥＰＧ）やデータ放送等も含まれるが、以下の説明では単に「番組」と表現する。
【００２７】
デジタル放送受信機１００は、放送局から電波送信される映像信号をアンテナ１２０で受信し、チューナ１０５で選局されるチャンネルの同期信号を出力する。復調部１０６は、この同期信号をデジタル信号に変換する。ＴＳ分離部１０７は、デジタル信号に多重された複数の情報要素をそれぞれ分離する。この情報要素とは、映像／音声や電子番組情報等の番組を構成する情報、デジタルデータに含まれる番組の一覧を示すＰＡＴ、及び個々の番組の構成形態を示すＰＭＴ等である。ＴＳ分離部１０７で分離された情報要素のうち映像及び音声は、ＡＶデコーダ１０８で視聴可能なアナログ情報に変換され、モニタ１２１やスピーカ１２２で再生される。また、記録媒体に記録すべき情報要素については、デジタルインタフェース１０９を介してパーシャルＴＳとしてデジタル映像録画／再生装置２００に出力される。
【００２８】
デジタル映像録画／再生装置２００で録画された番組を再生する時、デジタル放送受信機１００は、デジタルインタフェース１０９を介してデジタル映像録画／再生装置２００からパーシャルＴＳを入力する。そして、このパーシャルＴＳは、ＴＳ分離部１０７で個々の情報要素に分離され、映像及び音声がＡＶデコーダ１０８で視聴可能なアナログ情報に変換される。
なお、これらのデジタル放送受信機１００における一連の制御処理は、ＲＡＭ１０３を主たる作業領域としてＣＰＵ１０１で行われる。制御処理を記述したＣＰＵ１０１の実行プログラムは、ＲＯＭ１０２に格納される。
【００２９】
（２）デジタル映像録画／再生装置２００の概要説明
デジタル映像録画／再生装置２００は、受光部２０６と、リモコン制御部２０５と、操作パネル２０８と、入出力インタフェース（入出力Ｉ／Ｆ）２０７と、媒体制御部２０９と、記録媒体２１０と、時計部２１１と、デジタルインタフェース（デジタルＩ／Ｆ）２０４と、ＣＰＵ２０１と、ＲＯＭ２０２と、ＲＡＭ２０３とで構成される。
このデジタル映像録画／再生装置２００は、デジタルインタフェース２０４及び媒体制御部２０９を介して、デジタル放送受信機１００から入力されるパーシャルＴＳを記録媒体２１０に記録する、及び記録媒体２１０に記録されたパーシャルＴＳをデジタル放送受信機１００へ出力することを目的とした装置である。なお、記録媒体２１０には、磁気テープ、磁気ディスク、光ディスク等のデータ記録が可能な様々な媒体が適用可能である。
【００３０】
装置使用者による操作パネル２０８からの操作指示は、入出力インタフェース２０７を介してＣＰＵ２０１で処理される。また、リモコン２２０からの操作指示は、対応する受光部２０６及びリモコン制御部２０５を介してＣＰＵ２０１で処理される。
なお、これらのデジタル映像録画／再生装置２００における一連の制御処理は、ＲＡＭ２０３を主たる作業領域としてＣＰＵ２０１で行われる。制御処理を記述したＣＰＵ２０１の実行プログラムは、ＲＯＭ２０２に格納される。
【００３１】
（３）デジタル映像録画／再生装置２００の詳細な記録動作の説明
図２は、記録時に必要となるデジタル映像録画／再生装置２００の媒体制御部２０９の詳細な構成を示すブロック図である。図２において、媒体制御部２０９は、テーブル初期化部５００と、ＰＩＤ検出部５０１と、ＰＩＤ変換テーブル５０２と、ＰＩＤ変換部５０３と、ＰＡＴ更新部５０４と、ＰＭＴ更新部５０５とを備える。
【００３２】
テーブル初期化部５００は、デジタルインタフェース２０４から入力されるパーシャルＴＳの判断及び録画操作の判断を行い、パーシャルＴＳが切り替わるか又は録画が開始される毎に、ＰＩＤ変換テーブル５０２を初期化（クリア）する。ＰＩＤ検出部５０１は、テーブル初期化部５００から出力されるパーシャルＴＳの各パケットに付されたＰＩＤを検出し、ＰＭＴやＥＳ（映像ＥＳ、音声ＥＳ、データＥＳ、字幕文字ＥＳ等）を含むパケットを判断する。ＰＩＤ変換テーブル５０２には、ＰＩＤ検出部５０１で判断されたＰＭＴやＥＳを含むパケットのＰＩＤを、他のＰＩＤに変換するための情報が登録される。ＰＩＤ変換部５０３は、ＰＩＤ変換テーブル５０２の登録内容に基づいて、ＰＭＴやＥＳを含むパケットのＰＩＤを変換する。ＰＡＴ更新部５０４及びＰＭＴ更新部５０５は、ＰＩＤが変換されたパケットに含まれるＰＡＴ及びＰＭＴの内容を適宜更新する。
【００３３】
本発明のデジタル映像録画／再生装置２００が行う処理の特徴は、媒体制御部２０９において、パーシャルＴＳの各パケットに含まれるＰＭＴ＿ＰＩＤやＥＳ＿ＰＩＤを、ストリームの不連続性が生じる毎に異なる値になるようにして記録媒体に記録することにある。ここで、ストリームの不連続性が生じる場合には、録画が開始される場合と、入力するストリーム中のサービスが切り替わる場合とがある。前者は、操作パネル２０８やリモコン２２０から操作される場合や、デジタル放送受信機１００側から指示される場合である。後者は、デジタル放送受信機１００側でサービスが切り替えられる場合、例えばチューナ入力からエンコーダ入力に切り替えられる場合である。なお、デジタル映像録画／再生装置２００内でサービスが切り替えられる場合は、録画を開始する場合に含まれることになる。
【００３４】
以下、図３〜図８をさらに参照して、媒体制御部２０９の各構成が行う処理を具体的に説明する。図３〜図７は、それぞれテーブル初期化部５００、ＰＩＤ検出部５０１、ＰＩＤ変換部５０３、ＰＡＴ更新部５０４及びＰＭＴ更新部５０５で行われる処理動作の手順を示すフローチャートである。図８は、ＰＩＤ変換テーブル５０２の一例を示す図である。
【００３５】
図３を参照して、テーブル初期化部５００の処理を説明する。
まず、デジタルインタフェース２０４からパケットを入力する（ステップＳ３０１）。そして、装置が現在録画動作中か否かを確認する（ステップＳ３０２）。録画動作中である場合には、ストリーム中のサービスが切り替わったか否かをさらに判断する（ステップＳ３０３）。サービスが切り替わったか否かの判断は、パケットに含まれるＰＡＴ又はＳＩＴの情報を参照すれば容易である。そして、サービスが切り替わっていない場合にはそのまま、サービスが切り替わった場合には、ＰＩＤ変換テーブル５０２を初期化した後（ステップＳ３０５）、入力パケットをＰＩＤ検出部５０１へ送出する（ステップＳ３０６）。一方、現在録画動作中でない場合には、録画開始の指示があるか否かをさらに判断する（ステップＳ３０４）。録画開始の指示がない場合にはそのまま、録画開始の指示がある場合には、ＰＩＤ変換テーブル５０２を初期化した後（ステップＳ３０５）、入力パケットをＰＩＤ検出部５０１へ送出する（ステップＳ３０６）。以上の処理は、入力されるパケット毎に繰り返して行われる。
【００３６】
図４を参照して、ＰＩＤ検出部５０１の処理を説明する。
テーブル初期化部５００から送出されるパケットを入力し、パケットのヘッダ部に付されているＰＩＤを検出する（ステップＳ４０１）。次に、この検出したＰＩＤに基づいて、入力パケットがＰＡＴ、ＤＩＴ及びＳＩＴを含むパケットか否かを判断する（ステップＳ４０２）。ＰＡＴ、ＤＩＴ及びＳＩＴ以外を含むパケットである場合、検出したＰＩＤがＰＩＤ変換テーブル５０２に登録されているか否かを確認する（ステップＳ４０３）。検出したＰＩＤがＰＩＤ変換テーブル５０２に登録されていない場合には、このＰＩＤに関する登録を後述する手法に従って行う（ステップＳ４０４）。これにより、ＰＭＴ＿ＰＩＤやＥＳ＿ＰＩＤに関するＰＩＤ変換テーブル５０２を作成することができる。ＰＩＤの登録が完了した後、入力パケットをＰＩＤ変換部５０３へ送出する（ステップＳ４０５）。一方、ＰＡＴ、ＤＩＴ及びＳＩＴを含むパケットである場合（ステップＳ４０２，Ｙｅｓ）又は検出したＰＩＤがＰＩＤ変換テーブル５０２に登録されている場合（ステップＳ４０３，Ｙｅｓ）には、ＰＩＤの登録処理を行うことなく、入力パケットをＰＩＤ変換部５０３へ送出する（ステップＳ４０５）。以上の処理は、入力されるパケット毎に繰り返して行われる。
【００３７】
なお、上記例では、入力されるパケット毎にＰＩＤを検出し、順次ＰＩＤをＰＩＤ変換テーブル５０２に登録する場合を述べた。しかし、ＰＡＴを含むパケットを入力した場合には、ＰＡＴの記述内容を調べてＰＭＴ＿ＰＩＤを登録し、またＰＭＴを含むパケットを入力した場合には、ＰＭＴの記述内容を調べ全てのＥＳ＿ＰＩＤを登録するようにしてもよい。このようにすれば、ＰＩＤ変換テーブル５０２を作成する際のタイムラグを最小にすることができる。
【００３８】
図８を参照して、ＰＩＤ変換テーブル５０２を説明する。
図８のように、ＰＩＤ変換テーブル５０２には、ＰＩＤ検出部５０１によって登録すべきと判断されたＰＩＤについて、変換後のＰＩＤが個別に割り当てて管理される。この割り当ては、録画開始や入力サービスの切り替わりによって、不連続となるストリームの前後でＰＩＤの値が異なるように行われる。ＰＩＤの値は、不連続となるストリームの前後の関係において異なっていれば足りるため、その前後で値が重なるＰＩＤだけを他の値で変換すればよいが、変換後として用いるＰＩＤの値には、過去に使用していない値を割り当てるようにすることが好ましい。具体的には、最後に使用したＰＩＤの値を保持しておき、この値をインクリメントして割り当てるようにするのが最も単純でよい。また、装置の電源を入れ直した際に、同じ値のＰＩＤが割り当てられないように最後に使用したＰＩＤを所定の不揮発性メモリに格納しておいてもよい。この場合、次に電源オンした時に、不揮発性メモリに格納されたＰＩＤを読み出して割り当てに使用することで、ＰＩＤの重複使用を回避できる。
【００３９】
図５を参照して、ＰＩＤ変換部５０３の処理を説明する。
ＰＩＤ検出部５０１から送出されるパケットを入力し、パケットのヘッダ部に付されているＰＩＤを検出する（ステップＳ５０１）。そして、検出したＰＩＤが、ＰＩＤ変換テーブル５０２に登録されているか否かを確認する（ステップＳ５０２）。ＰＩＤがＰＩＤ変換テーブル５０２に登録されている場合は、ＰＩＤ変換テーブル５０２から変換後のＰＩＤを取得し、入力パケットのＰＩＤを現状の値から変換後の値に変換する（ステップＳ５０３，Ｓ５０４）。ＰＩＤの変換が完了した後、入力パケットをＰＡＴ更新部５０４へ送出する（ステップＳ５０５）。一方、検出したＰＩＤがＰＩＤ変換テーブル５０２に登録されていない場合（ステップＳ５０２，Ｎｏ）には、ＰＩＤを変換することなく、入力パケットをＰＡＴ更新部５０４へ送出する（ステップＳ５０５）。以上の処理は、入力されるパケット毎に繰り返して行われる。
【００４０】
図６を参照して、ＰＡＴ更新部５０４の処理を説明する。
ＰＩＤ変換部５０３から送出されるパケットを入力し、パケットのヘッダ部に付されているＰＩＤを検出する（ステップＳ６０１）。そして、この検出したＰＩＤに基づいて、入力パケットがＰＡＴを含むパケットか否かを判断する（ステップＳ６０２）。ＰＡＴを含むパケットである場合、ＰＡＴに記述されたＰＭＴ＿ＰＩＤを取得する（ステップＳ６０３）。次に、ＰＩＤ変換テーブル５０２に、取得したＰＭＴ＿ＰＩＤの変換値（すなわち、ＰＭＴを含むパケットのＰＩＤ）が登録されているか否かを確認する（ステップＳ６０４）。ＰＩＤがＰＩＤ変換テーブル５０２に登録されている場合は、ＰＩＤ変換テーブル５０２から変換後のＰＩＤを取得し、ＰＭＴ＿ＰＩＤを現状の値から変換後の値に変換すると共に、ＰＡＴに記述されたＣＲＣ３２を更新する（ステップＳ６０５〜Ｓ６０７）。ＰＭＴ＿ＰＩＤ及びＣＲＣ３２の変換が完了した後、入力パケットをＰＭＴ更新部５０５へ送出する（ステップＳ６０８）。一方、ＰＩＤがＰＩＤ変換テーブル５０２に登録されていない場合は、ＰＭＴ＿ＰＩＤ及びＣＲＣ３２を変換することなく、入力パケットをＰＭＴ更新部５０５へ送出する（ステップＳ６０８）。以上の処理は、入力されるパケット毎に繰り返して行われる。
【００４１】
図７を参照して、ＰＭＴ更新部５０５の処理を説明する。
ＰＡＴ更新部５０４から送出されるパケットを入力し、パケットのヘッダ部に付されているＰＩＤを検出する（ステップＳ７０１）。そして、この検出したＰＩＤに基づいて、入力パケットがＰＭＴを含むパケットか否かを判断する（ステップＳ７０２）。ＰＭＴを含むパケットである場合、ＰＭＴに記述されたＥＳ＿ＰＩＤを取得する（ステップＳ７０３）。次に、ＰＩＤ変換テーブル５０２に、取得したＥＳ＿ＰＩＤの変換値（すなわち、ＥＳを含むパケットのＰＩＤ）が登録されているか否かを確認する（ステップＳ７０４）。ＰＩＤがＰＩＤ変換テーブル５０２に登録されている場合は、ＰＩＤ変換テーブル５０２から変換後のＰＩＤを取得し、ＥＳ＿ＰＩＤを現状の値から変換後の値に変換すると共に、ＰＭＴに記述されたＣＲＣ３２を更新する（ステップＳ７０５〜Ｓ７０７）。ＥＳ＿ＰＩＤ及びＣＲＣ３２の変換が完了した後、入力パケットを記録媒体２１０に記録する（ステップＳ７０８）。一方、ＰＩＤがＰＩＤ変換テーブル５０２に登録されていない場合は、ＥＳ＿ＰＩＤ及びＣＲＣ３２を変換することなく、入力パケットを記録媒体２１０に記録する（ステップＳ７０８）。以上の処理を入力されるパケット毎に繰り返すことにより、番組を記録媒体２１０に順次録画してゆく。
【００４２】
なお、ＰＡＴ内に複数のＰＭＴ＿ＰＩＤの記述がある場合には、全てのＰＭＴ＿ＰＩＤに関してＰＩＤ変換テーブル５０２を作成してもよいし、一部のＰＭＴ＿ＰＩＤに関してＰＩＤ変換テーブル５０２を作成してもよい。この場合、図４のステップＳ４０２の後にＰＭＴ＿ＰＩＤを抽出するステップを設け、ＰＭＴ＿ＰＩＤ毎にＰＩＤ変換テーブル５０２を生成すればよい。また、図６のステップＳ６０３において、取得したＰＭＴ＿ＰＩＤとＰＩＤ変換テーブル５０２に登録されているＰＭＴのＰＩＤとを比較して、必要なＰＭＴ＿ＰＩＤだけを更新するようにすればよい。
また、ＰＭＴ内に複数のＥＳ＿ＰＩＤの記述がある場合には、全てのＥＳ＿ＰＩＤに関してＰＩＤ変換テーブル５０２を作成してもよいし、一部のＥＳ＿ＰＩＤに関してＰＩＤ変換テーブル５０２を作成してもよい。この場合、図４のステップＳ４０２の後にＥＳ＿ＰＩＤを抽出するステップを設け、ＥＳ＿ＰＩＤ毎にＰＩＤ変換テーブル５０２を生成すればよい。また、図７のステップＳ７０３において、取得したＥＳ＿ＰＩＤとＰＩＤ変換テーブル５０２に登録されているＥＳのＰＩＤとを比較して、必要なＥＳ＿ＰＩＤだけを更新するようにすればよい。
【００４３】
上記処理によって記録媒体２１０にパーシャルＴＳを記録すれば、図９に示すように番組Ａの途中から後続する番組Ｂの途中までを番組Ｃで上書きした場合でも、不連続となる番組間でのＰＭＴ＿ＰＩＤ及びＥＳ＿ＰＩＤを異ならせることができる。
なお、図３〜図７のフローチャートで説明した各処理は、それぞれ独立しており、入力パケットをリレー方式で順次送出することで並列的にパケット処理することが可能である。
【００４４】
（４）デジタル放送受信機１００の再生処理の説明
最後に、デジタル映像録画／再生装置２００で読み出された上記方法で記録媒体２１０に記録されたパーシャルＴＳを、デジタル放送受信機１００でデコードして再生する処理を説明する。図１０は、デジタル放送受信機１００で行われる処理手順を示すフローチャートである。
【００４５】
図１０において、記録媒体２１０に記録されたパーシャルＴＳは、デジタル映像録画／再生装置２００の媒体制御部２０９で読み出され、デジタルインタフェース２０４及び１０９を介して、デジタル放送受信機１００のＴＳ分離部１０７に入力される。ＴＳ分離部１０７は、まず最初の番組のＰＡＴを受信する（ステップＳ１００１）。次に、受信したＰＡＴに記述されているｐｒｏｇｒａｍ＿ｎｕｍｂｅｒに対応するＰＭＴを受信する（ステップＳ１００２）。ＡＶデコーダ１０８は、ＴＳ分離部１０７で受信されたＰＭＴに記述されている最初の番組に関する映像及び音声のデコードを開始し、ミュートを解除する（ステップＳ１００３，Ｓ１００４）。デコードされた映像はモニタ１２１へ、デコードされた音声はスピーカ１２２へそれぞれ出力され、最初の番組が再生される。
ＴＳ分離部１０７は、最初の番組が再生されている間、パーシャルＴＳの不連続部分、すなわち次の番組を検出し続ける（ステップＳ１００５）。この不連続部分の検出は、ＤＩＴを受信したか、サービス記述（ｐｒｏｇｒａｍ＿ｎｕｍｂｅｒの記述）がないＰＡＴを受信したか、ＰＡＴに記述されているＰＭＴ＿ＰＩＤがそれまでと異なる値になったか、又はＰＭＴに記述されているＥＳ＿ＰＩＤがそれまでと異なる値になったか、のいずれかに基づいて行われる。ＴＳ分離部１０７でパーシャルＴＳの不連続部分が検出された場合、ＡＶデコーダ１０８は、最初の番組に関する映像及び音声のミュート及びデコード停止を行う（ステップＳ１００６，Ｓ１００７）。
【００４６】
そして、最初の番組に対して一旦映像及び音声のミュート及びデコード停止を行った後、ＴＳ分離部１０７は、次の番組に関する新しいＰＡＴを受信する（ステップＳ１００１）。次に、受信した新しいＰＡＴに記述されているｐｒｏｇｒａｍ＿ｎｕｍｂｅｒに対応する新しいＰＭＴを受信する（ステップＳ１００２）。ＡＶデコーダ１０８は、ＴＳ分離部１０７で受信された新しいＰＭＴに記述されている次の番組に関する映像及び音声のデコードを開始し、ミュートを解除する（ステップＳ１００３，Ｓ１００４）。デコードされた映像はモニタ１２１へ、デコードされた音声はスピーカ１２２へそれぞれ出力され、これにより次の番組が再生される。
以上の処理を繰り返すことで、パーシャルＴＳの不連続部分を検出する毎に、新たな番組を正確に再生処理することができる。
【００４７】
なお、ＡＶデコーダ１０８で行われる映像及び音声のデコードは、ＴＳ分離部１０７が、デコードする映像及び音声のＥＳ＿ＰＩＤを設定し、設定されたＥＳ＿ＰＩＤの映像及び音声ＥＳをＡＶデコーダ１０８に送出することで、開始される。ＴＳ分離部１０７で設定しているＥＳ＿ＰＩＤの映像及び音声ＥＳがなくなった場合は、ＡＶデコーダ１０８にＥＳが送出されなくなり、映像及び音声のデコードが停止する。このため、録画時にＥＳ＿ＰＩＤを変更させたパーシャルＴＳをデコードする場合には、不連続部分の検出が実際の不連続部分の読み出し時よりも時間的に遅くなった時でも、映像及び音声のデコードが停止し、スムーズに次の映像及び音声のデコードが開始されることになる。
【００４８】
以上のように、本発明の第１の実施形態に係るデジタル映像録画／再生装置によれば、パーシャルＴＳの各パケットに含まれるＰＭＴ＿ＰＩＤやＥＳ＿ＰＩＤを、ストリームの不連続性が生じる毎に異なる値になるようにして記録媒体に記録する。従って、このように記録された記録媒体を再生処理する場合、特に記録済みの媒体に上書きしたデータを再生する場合に、ストリームの不連続箇所（上書き終了直後の記録部分）を容易に判断できるので、ノイズを発生させることなく正確な再生処理を行うことができる。
【００４９】
なお、上記実施形態では、ＰＩＤを変換する対象をＰＭＴ及びＥＳを含むパケットとして説明したが、ＰＡＴ、ＤＩＴ及びＳＩＴ以外を含むパケットならば、同様に適用することが可能である。また、ＰＭＴを含むパケットだけを対象としてもよいし、ＥＳを含むパケットだけを対象としてもよい。後者の場合、ＰＭＴ＿ＰＩＤを変換しなくてもよいので、ＰＡＴ更新部５０４の構成が不要となる。
【００５０】
また、上記実施形態では、テーブル初期化部５００、ＰＩＤ検出部５０１、ＰＩＤ変換テーブル５０２、ＰＩＤ変換部５０３、ＰＡＴ更新部５０４及びＰＭＴ更新部５０５の構成を用いて、パーシャルＴＳを記録媒体２１０に記録する際にＰＩＤを変更するようにした。しかし、パーシャルＴＳを普通に記録媒体２１０に記録し、再生処理時に上記構成を用いてＰＩＤを変更することも可能である。このような手法は、ファイル形式で記録可能なコンテンツを扱うＨＤＤやＤＶＤ等の記録媒体に適用できる。この場合、テーブル初期化部５００で行う録画開始及びサービス切り替わりの判断は、記録媒体から読み出されるファイル番号の切り替わりで判断すればよい。なお、コンテンツを記録媒体に記録する際に、ＰＩＤ一覧やＰＭＴ情報を別の情報として記録媒体上に予め記録しておけば、変換後のＰＩＤを決定するのに利用できる。
【００５１】
（第２の実施形態）
上記第１の実施形態では、様々な記録媒体に適用可能な方法として、パーシャルＴＳを記録する際に特別な処理を行う方法を説明した。この第２の実施形態では、記録媒体が磁気テープである場合に適用が限定されるが、特別な記録処理を行わなくても従来の記録方式に内在する特徴を利用して、ノイズを発生させることなく正確な再生処理を行うことができるデジタル映像録画／再生装置について説明する。
本第２の実施形態は、上記第１の実施形態の説明における項目（３）を下記の項目（３’）に置き換えることで説明できる。以下、この項目（３’）を中心に第２の実施形態を説明する。
【００５２】
（３’）デジタル映像録画／再生装置２００の詳細な再生動作の説明
図１１は、再生時に必要となるデジタル映像録画／再生装置２００の媒体制御部２０９の詳細な構成を示すブロック図である。図１１において、媒体制御部２０９は、無記録部分検出部６０１と、不連続情報挿入部６０２とを備える。
周知のように、磁気テープに新たなデータが記録される場合、前に記録されたデータが消去ヘッドで削除されてから、すなわち無記録状態にされてから、記録ヘッドで新しいデータが書き込まれることが行われる。このため、構造上消去ヘッドと記録ヘッドとの位置が離れていれば、データ記録が停止された後に無記録部分が必ず少し残ってしまうという特徴を持っている。
【００５３】
無記録部分検出部６０１は、記録媒体２１０からパーシャルＴＳを読み出す際に、上述した無記録部分を検出する。無記録部分検出部６０１で無記録部分が検出された場合、不連続情報挿入部６０２は、読み出されたパーシャルＴＳ中の該当部分に不連続情報を挿入して、デジタルインタフェース２０４に送出する。この不連続情報には、ＤＩＴ又はＰＡＴを利用できる。ＤＩＴの場合は、無記録部分が検出されてから最初に読み出されたパケットの前に新たに挿入するか、そのパケットをＤＩＴに置き換えることで挿入する。また、ＰＡＴの場合は、ＰＭＴ＿ＰＩＤを記述していないＰＡＴを生成して、無記録部分が検出されてから最初に読み出されたパケットの前に新たに挿入する。これにより、デジタル放送受信機１００において、不連続であることの検出が可能となる。なお、これらの不連続情報は、デジタル放送受信機１００で検出異常が発生する場合を考慮して、２つ以上連続して挿入するのが好ましい。
一方、無記録部分検出部６０１で無記録部分が検出されない場合、不連続情報挿入部６０２は、読み出されたパーシャルＴＳをそのまま再生ストリームとしてデジタルインタフェース２０４に送出する。
【００５４】
以上のように、本発明の第２の実施形態に係るデジタル映像録画／再生装置によれば、従来から記録媒体上に存在する無記録部分を検出して、ストリームの不連続性が生じる毎に再生パーシャルＴＳ中に不連続情報を挿入する又は再生パーシャルＴＳの一部を不連続情報に置換する。従って、従来の記録媒体を再生処理する場合、特に記録済みの媒体に上書きしたデータを再生する場合に、ストリームの不連続箇所（上書き終了直後の記録部分）を容易に判断できるので、ノイズを発生させることなく正確な再生処理を行うことができる。
【００５５】
なお、上記第２の実施形態では、デジタル映像録画／再生装置２００からデジタル放送受信機１００に送出される再生パーシャルＴＳ中にＤＩＴ又はＰＡＴを挿入する方法を説明したが、双方の間に制御データを送信できる制御線（例えばシリアルインタフェース）が接続されていれば、それを利用することもできる。具体的には、無記録部分検出部６０１において、無記録部分が検出された場合には制御線をアクティブ（例えば「１」）に設定し、無記録部分が終了したら制御線をノンアクティブ（例えば「０」）に設定することを行う。デジタル放送受信機１００では、この制御線上の設定信号を検出し、アクティブになった時にデコードを停止する等の処理を行う。このようにすれば、ＰＭＴ＿ＰＩＤの変更やＤＩＴ挿入等のパーシャルＴＳに対する加工処理を行うことなく、番組の切り替わり部分をデジタル放送受信機１００へ通知することができる。
【００５６】
また、上記第２の実施形態では、無記録部分検出部６０１で無記録部分が検出された場合、不連続情報挿入部６０２を用いてパーシャルＴＳ中の該当部分に不連続情報を挿入する手法を述べた。しかし、不連続情報挿入部６０２の代わりに、上記第１の実施形態で説明したテーブル初期化部５００、ＰＩＤ検出部５０１、ＰＩＤ変換テーブル５０２、ＰＩＤ変換部５０３、ＰＡＴ更新部５０４及びＰＭＴ更新部５０５の構成を用いて、無記録部分が検出された場合にＰＩＤを変更することも可能である。
【００５７】
また、上記第１及び第２の実施形態に係るデジタル映像録画／再生装置２００は、パーシャルＴＳを記録／再生できる機能を備えた機器であればよく、デジタルＶＴＲやパソコン等の形態は問わない。
さらに、上記第１及び第２の実施形態では、録画機能と再生機能との両方を備えた係るデジタル映像録画／再生装置２００として記載しているが、いずれかの機能だけを備える装置であっても本発明を実現できる。また、デジタル放送受信機１００とデジタル映像録画／再生装置２００とが一体で装置構成されていても構わない。
【図面の簡単な説明】
【図１】本発明の第１の実施形態に係るデジタル映像録画／再生装置の構成を示すブロック図である。
【図２】第１の実施形態の媒体制御部２０９の詳細な構成を示すブロック図である。
【図３】図２のテーブル初期化部５００で行われる処理動作の手順を示すフローチャートである。
【図４】図２のＰＩＤ検出部５０１で行われる処理動作の手順を示すフローチャートである。
【図５】図２のＰＩＤ変換部５０３で行われる処理動作の手順を示すフローチャートである。
【図６】図２のＰＡＴ更新部５０４で行われる処理動作の手順を示すフローチャートである。
【図７】図２のＰＭＴ更新部５０５で行われる処理動作の手順を示すフローチャートである。
【図８】図２のＰＩＤ変換テーブル５０２の一例を示す図である。
【図９】第１の実施形態の処理によって記録媒体２１０にパーシャルＴＳを記録した一例を示す概念図である。
【図１０】デジタル放送受信機１００で行われる処理手順を示すフローチャートである。
【図１１】第２の実施形態の媒体制御部２０９の詳細な構成を示すブロック図である。
【図１２】ＰＡＴのフォーマットを示す図である。
【図１３】ＰＭＴのフォーマットを示す図である。
【図１４】ＳＩＴのフォーマットを示す図である。
【図１５】ＤＩＴのフォーマットを示す図である。
【図１６】従来の処理によって記録媒体２１０にパーシャルＴＳを記録した一例を示す概念図である。
【符号の説明】
１００…デジタル放送受信機
１０１，２０１…ＣＰＵ
１０２，２０２…ＲＯＭ
１０３，２０３…ＲＡＭ
１０５…チューナ
１０６…復調部
１０７…ＴＳ分離部
１０８…ＡＶデコーダ
１０９，２０４…デジタルインタフェース
１２０…アンテナ
１２１…モニタ
１２２…スピーカ
２００…デジタル映像録画／再生装置
２０５…リモコン制御部
２０６…受光部
２０７…入出力インタフェース
２０８…操作パネル
２０９…媒体制御部
２１０…記録媒体
２１１…時計部
２２０…リモコン
５００…テーブル初期化部
５０１…ＰＩＤ検出部
５０２…ＰＩＤ変換テーブル
５０３…ＰＩＤ変換部
５０４…ＰＡＴ更新部
５０５…ＰＭＴ更新部
６０１…無記録部分検出部
６０２…不連続情報挿入部
【図１】
0003841208.tif 000002
【図２】
0003841208.tif 000003
【図３】
0003841208.tif 000004
【図４】
0003841208.tif 000005
【図５】
0003841208.tif 000006
【図６】
0003841208.tif 000007
【図７】
0003841208.tif 000008
【図８】
0003841208.tif 000009
【図９】
0003841208.tif 000010
【図１０】
0003841208.tif 000011
【図１１】
0003841208.tif 000012
【図１２】
0003841208.tif 000013
【図１３】
0003841208.tif 000014
【図１４】
0003841208.tif 000015
【図１５】
0003841208.tif 000016
【図１６】
0003841208.tif 000017